(57)【要約】【課題】バッテリの電力消費を抑えて省力化すると共に、バッテリの交換時期または充電時期を延ばす。【解決手段】電源スイッチ回路は、押圧力が加わって接点がＯＮし、前記押圧力がなくなると前記接点がＯＦＦする操作部を有し、バッテリから供給される電源により動作する機能を備えた機能部への電源ラインを前記接点のＯＮ／ＯＦＦに伴い接続／切断する機械式スイッチ部と、前記機械式スイッチと並列に前記電源ラインに接続され、前記機能部からの制御により前記電源ラインを接続／切断する電子式スイッチ部と、前記機械式スイッチがＯＮして前記バッテリから電源が供給された前記機能部が、前記電子式スイッチを制御して前記電源ラインの接続を維持して動作した後、前記電子式スイッチを制御して前記電源ラインを切断した後、予め設定された前記電源ラインの電圧低下の条件または遅延時間の条件が満たされた場合に前記電源ラインを接地する接地部とを備える。【選択図】図１
2014130735.tif 000002
【特許請求の範囲】
【請求項１】
押圧力が加わって接点がＯＮし、前記押圧力がなくなると前記接点がＯＦＦする操作部を有し、バッテリから供給される電源により動作する機能を備えた機能部への電源ラインを前記接点のＯＮ／ＯＦＦに伴い接続／切断する機械式スイッチ部と、
前記機械式スイッチと並列に前記電源ラインに接続され、前記機能部からの制御により前記電源ラインを接続／切断する電子式スイッチ部と、
前記機械式スイッチがＯＮして前記バッテリから電源が供給された前記機能部が、前記電子式スイッチを制御して前記電源ラインの接続を維持して動作した後、前記電子式スイッチを制御して前記電源ラインを切断した後、予め設定された前記電源ラインの電圧低下の条件または遅延時間の条件が満たされた場合に前記前記機能部側の電源ラインを接地する接地部と
を具備することを特徴とする電源スイッチ回路。
【請求項２】
前記電源ラインの電圧低下の条件が、
前記電源ラインの電圧値が、前記機能部の最低動作電圧よりも高い値に設定された閾値に達したか否かである請求項１記載の電源スイッチ回路。
【請求項３】
前記遅延時間の条件が、
前記電源ラインの切断後に前記電源ラインの電圧値が前記機能部の最低動作電圧に達するまでの時間よりも短い値に設定された閾値に達したか否かである請求項１記載の電源スイッチ回路。
【請求項４】
前記電子式スイッチ部が、
ＭＯＳ型半導体スイッチであることを特徴とする請求項１乃至３いずれか１記載の電源スイッチ回路。
【請求項５】
バッテリから供給される電源により動作する機能を備えた機能部と、
押圧力が加わって接点がＯＮし、前記押圧力がなくなると前記接点がＯＦＦする操作部を有し、前記バッテリから前記機能部への電源ラインを前記接点のＯＮ／ＯＦＦに伴い接続／切断する機械式スイッチ部と、
前記機械式スイッチ部と並列に接続され、前記機能部からの制御により前記電源ラインを接続／切断する電子式スイッチ部と、
前記機械式スイッチがＯＮして前記バッテリから電源が供給された前記機能部が、前記電子式スイッチを制御して前記電源ラインの接続を維持して動作した後、前記電子式スイッチを制御して前記電源ラインを切断した後、予め設定された前記電源ラインの電圧低下の条件または遅延時間の条件が満たされた場合に前記機能部側の前記電源ラインを接地する接地部と
を具備することを特徴とするバッテリ駆動式装置。
【請求項６】
前記機能部が、
前記バッテリから供給された電源により起動したプログラムに従い前記電子式スイッチ部に対して接続を指示する制御信号を出力し、前記プログラムの処理が終了するときに切断を指示する制御信号を出力する制御ユニットを備えることを特徴とする請求項５記載のバッテリ駆動式装置。
【請求項７】
前記機能部が、
前記制御ユニットにより制御されて動作する近距離無線通信用のＩＣチップとこのＩＣチップによる無線通信により得られた情報を表示する表示装置とを有することを特徴とする請求項６記載のバッテリ駆動式装置。
【請求項８】
前記機能部が、
前記制御ユニットにより制御されて動作し、この装置自体または前記装置の外部の状態を検出するセンサとこのセンサにより検出された情報を表示する表示装置とを有することを特徴とする請求項６記載のバッテリ駆動式装置。
【請求項９】
前記機能部が、
キー操作により情報が入力される入力装置とこの入力装置から入力された情報を表示する表示装置とを有することを特徴とする請求項５または請求項６いずれか記載のバッテリ駆動式装置。
【発明の詳細な説明】
【技術分野】
【０００１】
本発明は、電源スイッチ回路およびバッテリ駆動式装置に関する。
【背景技術】
【０００２】
バッテリで駆動する装置、例えば表示機能付きのＩＣカードなどは、内部の回路での電力消費によりバッテリの交換または充電を余儀なくされる。表示機能付きのＩＣカードに用いられるバッテリは小型のため容量が少なく、短期間での交換または充電が必要になることから、省力化が望まれている。
【０００３】
バッテリで動く従来のＩＣカードには、例えばバッテリからの制御部への電源ラインにコンデンサとトランジスタスイッチとを接続し、ＯＦＦ動作となったときにトランジスタスイッチをＯＮしてコンデンサにチャージされた電荷をグランド（ＧＮＤ）に逃がす仕組みの電源スイッチ回路が搭載される。この電源スイッチ回路では、ＯＦＦ動作の際に、電源ラインがトランジスタスイッチの動作で０Ｖになるため、貫通電流が流れる時間を短くすることができる。
【先行技術文献】
【特許文献】
【０００４】
【特許文献１】特開平０１−５４５２０号公報
【発明の概要】
【発明が解決しようとする課題】
【０００５】
しかしながら、上述した従来の電源スイッチ回路では、トランジスタスイッチのＯＮ／ＯＦＦ動作で電位が電気的に変わるものの、バッテリから制御部への回路配線自体は繋がっているため、システム全体として完全に電源を遮断した状態にはならず、バッテリに蓄電されている電力が回路に漏れ、無駄に消費されてしまうという問題がある。
【０００６】
本発明はこのような課題を解決するためになされたもので、バッテリの電力消費を抑えて省力化すると共に、バッテリの交換時期または充電時期を延ばすことができる電源スイッチ回路およびバッテリ駆動式装置を提供することを目的とする。
【課題を解決するための手段】
【０００７】
上記の課題を解決するために、本発明の一態様の電源スイッチ回路は、押圧力が加わって接点がＯＮし、前記押圧力がなくなると前記接点がＯＦＦする操作部を有し、バッテリから供給される電源により動作する機能を備えた機能部への電源ラインを前記接点のＯＮ／ＯＦＦに伴い接続／切断する機械式スイッチ部と、前記機械式スイッチ部と並列に接続され、前記機能部からの制御により前記電源ラインを接続／切断する電子式スイッチ部と、前記機械式スイッチがＯＮして前記バッテリから電源が供給された前記機能部が、前記電子式スイッチを制御して前記電源ラインの接続を維持して動作した後、前記電子式スイッチを制御して前記電源ラインを切断した後、予め設定された前記電源ラインの電圧低下の条件または遅延時間の条件が満たされた場合に前記機能部側の前記電源ラインを接地する接地部とを具備することを特徴とする。
【０００８】
また本発明の一態様のバッテリ駆動式装置は、バッテリから供給される電源により動作する機能を備えた機能部と、押圧力が加わって接点がＯＮし、前記押圧力がなくなると前記接点がＯＦＦする操作部を有し、前記バッテリから前記機能部への電源ラインを前記接点のＯＮ／ＯＦＦに伴い接続／切断する機械式スイッチ部と、前記機械式スイッチ部と並列に接続され、前記機能部からの制御により前記電源ラインを接続／切断する電子式スイッチ部と、前記電子式スイッチ部による前記電源ラインの切断後、予め設定された前記電源ラインの電圧低下の条件または遅延時間の条件が満たされた場合に前記電源ラインを接地する接地部とを具備することを特徴とする。
【０００９】
本発明では、バッテリから機能部への電源ラインを接点のＯＮ／ＯＦＦに伴い接続／切断する機械式スイッチ部と、この機械式スイッチと、機能部からの制御により電源ラインを接続／切断する電子式スイッチ部とを電源ラインに並列に接続し、機械式スイッチ部借利用者によってＯＮされて電源供給により機能部が起動した後、機能部が動作を終了する際に、機能部からの制御信号で電子式スイッチをＯＦＦし、電子式スイッチにより機能部への電源ラインがバッテリと確実に切り離される。これによりバッテリに蓄電されている電力が回路に漏れ、無駄に消費されることがなくなる。
【００１０】
その後、予め設定された電源ラインの電圧低下の条件または遅延時間の条件を満たした場合に接地部が電源ラインを接地する。
【００１１】
電力供給が停止された電源ラインには、容量成分（電荷または電圧）が溜まっており、通常であれば、容量成分（電荷または電圧）が徐々に減ってゆくが、接地部が、この電荷（電圧）のレベルを監視（検出）し、機能部の動作が最低動作電圧付近で不安定になる前に電源ラインを接地してリセットをかけるので、機能部が誤動作を起こすことなく、スイッチ部以降の各回路の動作を完全にシャットオフすることができる。
【発明の効果】
【００１２】
本発明によれば、バッテリの電力消費を抑えて省力化すると共に、バッテリの交換時期または充電時期を延ばすことができる。
【図面の簡単な説明】
【００１３】
【図１】第１実施形態のＩＣカードの構成を示す図である。
【図２】図１のＩＣカードの電子スイッチ回路およびリセット回路の回路構成を示す図である。
【図３】図２のリセット回路の第１の回路構成例を示す図である。
【図４】図２のリセット回路の第２の回路構成例を示す図である。
【図５】第２実施形態のＩＣカードの構成を示す図である。
【図６】第３実施形態のＩＣカードの構成を示す図である。
【発明を実施するための形態】
【００１４】
以下、図面を参照して、本発明の電源スイッチ回路およびバッテリ駆動式装置に係る一つの実施の形態のＩＣカードを詳細に説明する。図１は第１実施形態のＩＣカードの構成を示す図、図２は図１のＩＣカードの電子スイッチ回路およびリセット回路の回路構成を示す図、図３は図２のリセット回路の第１の回路構成例を示す図である。図４は図２のリセット回路の第２の回路構成例を示す図である。
【００１５】
図１に示すように、第１実施形態のＩＣカードは、例えばボタン電池などの薄型のバッテリ１と、バッテリ１からの電源電圧２（以下「ＢＡＴ_ＶＤＤ２」と称す）のラインをＯＮ（接続または入）／ＯＦＦ（切断または切）する機械式スイッチ部であるプッシュＳＷ３と、このプッシュＳＷ３と並列に電源ライン（ＢＡＴ_ＶＤＤ２のライン）に接続されたＭＯＳ型トランジスタ（ＭＯＳ Ｔｒ）またはＭＯＳ型ＦＥＴなどを含む電子式スイッチ部である電子スイッチ回路４と、ＣＰＵ６、表示装置としての電子表示パネル７、アンテナ８、情報授受ＩＣ９などを含む機能部１０と、上記プッシュＳＷ３および電子スイッチ回路４と機能部１０との間に接続されたリセット回路５とを備える。
【００１６】
バッテリ１は、例えばボタン電池やリチウムイオン電池などの小型で薄型の着脱自在な電池である。なおバッテリ１が充電池であれば、着脱自在でなくともよい。バッテリ１は、例えば直流３ＶなどのＢＡＴ_ＶＤＤ２を、カード内部の回路を通じて機能部１０へ供給する。
【００１７】
プッシュＳＷ３は、押圧力が加わって接点がＯＮし、押圧力がなくなると接点がＯＦＦする操作部としてボタンを有している。プッシュＳＷ３は、ボタンが利用者に操作されることでＯＮ／ＯＦＦする。ボタンが利用者により押されている間、ＯＮ（回路を接続）し、ボタンが離されると、ＯＦＦ（回路を切断）する。
【００１８】
すなわち、プッシュＳＷ３は、バッテリ１から供給されるＢＡＴ_ＶＤＤ２により動作する機能を備えた機能部１０へのＢＡＴ_ＶＤＤ２のラインを接点のＯＮ／ＯＦＦに伴い接続／切断する。プッシュＳＷ３は、ボタンが操作されていない場合は機能部１０への電力供給を完全にカットする。
【００１９】
電子スイッチ回路４は、ＣＰＵ６からのスイッチ制御信号（以下「ＳＷ_Ｃｏｎｔ」と称す）によりＢＡＴ_ＶＤＤ２のラインをＯＮ（接続または入）／ＯＦＦ（切断または切）する。
【００２０】
プッシュＳＷ３が押されず、ＣＰＵ６からのＳＷ_ＣｏｎｔがＬｏの場合（入力されない場合）、電子スイッチ回路４はＯＦＦし、ＢＡＴ_ＶＤＤ２のラインから機能部１０への電力供給が完全にカットされる。
【００２１】
機能部１０のＣＰＵ６は、バッテリ１から供給された電源により起動したプログラムに従い電子スイッチ回路４に対して接続を指示する制御信号を出力し、プログラムの処理が終了するときに切断を指示する制御信号を電子スイッチ回路４に出力する制御ユニットである。
【００２２】
ＣＰＵ６は、ＢＡＴ_ＶＤＤ２の入力によって動作し、ユニット内部のメモリ（図示せず）に記憶されたプログラムが起動し、カード内の各部（電子スイッチ回路４、電子表示パネル７および情報授受ＩＣ９）に対して制御動作を行う。
【００２３】
ＣＰＵ６は、情報授受ＩＣ９により受信された情報をメモリに記憶および電子表示パネル７に表示する。またＣＰＵ６はメモリに記憶された情報を、情報授受ＩＣ９を通じて外部のデバイスへ送る。
【００２４】
電子表示パネル７は、例えばＬＣＤパネルおよびＥＬパネルなどであり、ＢＡＴ_ＶＤＤ２の入力によって動作し、ＣＰＵ６からの表示制御信号に応じた文字、キャラクタなどの表示を行う。
【００２５】
情報授受ＩＣ９は、例えばＮＦＣチップ（近距離無線通信用のＩＣチップ）などであり、ＢＡＴ_ＶＤＤ２の入力によって動作し、アンテナ８により他の近距離無線デバイスとの間で近距離無線通信を行い、情報を授受する。
【００２６】
図２に示すように、電子スイッチ回路４は、制御・バイアス回路２０と、ハイサイドスイッチ２９を有する。
【００２７】
制御・バイアス回路２０は、抵抗素子２２，２３，２５とＮ型ＭＯＳ Ｔｒ２４などの半導体スイッチ素子とを有する。
【００２８】
抵抗素子２２は、スイッチ制御信号の入力端子２１とＮ型ＭＯＳ ＴＲ２４のゲートに接続されている。抵抗素子２３は、グランド（以下「ＧＮＤ」と称す）とＮ型ＭＯＳ ＴＲ２４のゲートに接続されている。抵抗素子２５は、ＢＡＴ_ＶＤＤ２のラインとＮ型ＭＯＳ Ｔｒ２４のドレインに接続されている。Ｎ型ＭＯＳ Ｔｒ２４のソースは、ＧＮＤに接続（接地）されている。
【００２９】
ハイサイドスイッチ２９は、例えばＰ型ＭＯＳ Ｔｒ２６を有している。Ｐ型ＭＯＳ Ｔｒ２６のゲートは、Ｎ型ＭＯＳ Ｔｒ２４のドレインに接続されている。Ｐ型ＭＯＳ ＴＲ２６のソースは、ＢＡＴ_ＶＤＤ２のラインに接続されている。Ｐ型ＭＯＳ Ｔｒ２６のドレインは、機能部１０への出力端子３０に接続されている。
【００３０】
これらＮ型ＭＯＳ Ｔｒ２４およびＰ型ＭＯＳ Ｔｒ２６は、いずれも漏れ電流および動作時消費電流を抑えるために、小信号用ＭＯＳ型（エンハンスメント型）のものである。
【００３１】
制御・バイアス回路２０の抵抗素子２２，２３，２５などは、使用する半導体スイッチ素子（ＭＯＳ ＴｒまたはＭＯＳ ＦＥＴ）に合わせ、１μＡ〜数μＡ程度のバイアス電流が流れるように抵抗値が設定されている。
【００３２】
リセット回路５は、出力端子３０とＧＮＤ間に接続されている。リセット回路５は、比較スイッチ回路２８と抵抗素子２７を有する。抵抗素子２７は、Ｐ型ＭＯＳ Ｔｒ２６のドレインと比較スイッチ回路２８に接続されている。
【００３３】
リセット回路５は、ＣＰＵ６が動作後、ＢＡＴ_ＶＤＤ２のラインの電圧レベルを監視することにより、ＶＤＤ−ＧＮＤ間の電圧レベルが規定の閾値まで下がったときにＯＮ動作し、ＣＰＵ６へのＢＡＴ_ＶＤＤ２のラインをＧＮＤに接地する。
【００３４】
すなわち、リセット回路５は、電子スイッチ回路４によるＢＡＴ_ＶＤＤ２のラインの切断後、予め設定されたＢＡＴ_ＶＤＤ２のラインの電圧低下の条件が満たされた場合にＢＡＴ_ＶＤＤ２のラインを接地する接地部として機能する。
【００３５】
さらに詳細には、リセット回路５は、プッシュＳＷ３がＯＮしてＢＡＴ_ＶＤＤ２のラインが接続されることでバッテリ１から電源が供給された機能部１０のＣＰＵ６が、電子スイッチ回路４を制御してＢＡＴ_ＶＤＤ２のラインの接続を維持して動作した後、電子スイッチ回路４を制御してＢＡＴ_ＶＤＤ２のラインを切断した後、予め設定されたＢＡＴ_ＶＤＤ２のラインの電圧低下の条件が満たされた場合に機能部１０側のＢＡＴ_ＶＤＤ２のラインを接地する。
【００３６】
ＢＡＴ_ＶＤＤスイッチ２のラインの電圧低下の条件は、ＢＡＴ_ＶＤＤ２のラインの電圧値が、機能部１０の最低動作電圧よりも高い値に設定された閾値に達したか否かである。
【００３７】
なお、電圧低下の条件の他、例えば遅延時間の条件が満たされた場合にＢＡＴ_ＶＤＤ２のラインを接地してもよい。この場合、遅延時間の条件は、ＢＡＴ_ＶＤＤ２力のラインの切断後にＢＡＴ_ＶＤＤ２のラインの電圧値が機能部１０の最低動作電圧に達するまでの時間よりも短い値に設定された閾値に達したか否かである。
【００３８】
比較スイッチ回路２８は、電圧レベルの監視端子２８ａと２つの入出力端子２８ｂ、２８ｃとを有する。
【００３９】
比較スイッチ回路２８は、Ｐ型ＭＯＳ Ｔｒ２６のドレイン（ＢＡＴ_ＶＤＤ２のライン）の電圧レベルを監視端子２８ａで監視し、監視端子２８ａの電圧レベルが予め設定された閾値電圧以下になった場合、２つの入出力端子２８ｂ、２８ｃをショートさせる。
【００４０】
この例では、比較スイッチ回路２８は、Ｐ型ＭＯＳ Ｔｒ２６のドレインから出力端子３０のラインを、抵抗素子２７通じてＧＮＤへショートさせる。閾値電圧はＣＰＵ６が動作保証されている電源電圧の下限値（最低動作電圧）よりも高い値とする。
【００４１】
比較スイッチ回路２８は、ＣＰＵ６の動作電圧よりも高い閾値電圧の検出によって入出力端子２８ｂ、２８ｃ（この例の場合、ＢＡＴ_ＶＤＤ２のライン−ＧＮＤ）間をショートさせる。
【００４２】
ＯＮ動作時のＢＡＴ_ＶＤＤが例えば３Ｖ、ＣＰＵ６の最低動作電圧が１．５Ｖとすると、閾値電圧は２．０Ｖ程度とする。
【００４３】
図３に示すように、比較スイッチ回路２８は、基準電圧発生器４２、比較回路（コンパレータ）４３、スイッチングバッファ４４、電子スイッチ４５を有する。
【００４４】
この例の場合、比較回路（コンパレータ）４３は、監視端子２８ａの電圧レベルを監視し条件を満たした場合にスイッチ制御信号を出力する論理回路である。
【００４５】
比較回路（コンパレータ）４３は、監視端子２８ａの電圧レベルが基準電圧発生器４２が発生する基準電圧レベルよりも低くなった場合、スイッチ制御信号をＬＯからＨＩに変更（ＨＩを出力）し、スイッチングバッファ４４を通じて電子スイッチ４５をＯＮする。これにより、Ｐ型ＭＯＳ Ｔｒ２６のドレインから出力端子３０のラインが抵抗素子２７通じてＧＮＤへ接地される。
【００４６】
続いて、この第１実施形態のＩＣカードの動作を説明する。  
この第１実施形態のＩＣカードでは、利用者によりプッシュＳＷ３が押されると、プッシュＳＷ３はＢＡＴ_ＶＤＤ２のラインと機能部１０へのラインをＯＮ（接続）する。
【００４７】
すると、このプッシュＳＷ３が押されている期間に、バッテリ１から機能部１０（ＣＰＵ６、電子表示パネル７および情報授受ＩＣ９など）へＢＡＴ_ＶＤＤ２が供給される。
【００４８】
ＣＰＵ６はメモリのプログラムを起動して制御動作を開始し、ＳＷ_Ｃｏｎｔ（ＨＩ）を電子スイッチ回路４のＳＷ_Ｃｏｎｔ入力端子２１へ出力する。
【００４９】
電子スイッチ回路４では、ＳＷ_Ｃｏｎｔ（ＨＩ）の入力により、Ｎ型ＭＯＳ Ｔｒ２４およびＰ型ＭＯＳ Ｔｒ２６がＯＮし、プッシュＳＷ３がＯＦＦされた後もＢＡＴ_ＶＤＤがＣＰＵ６へ供給されつづける。ＯＮ期間は、目的とした機能（情報授受ＩＣ９で受けた情報の表示など）の処理を全て実行しその処理が完了するまでの間とする。
【００５０】
機能部１０では、電源の供給により情報授受ＩＣ９が他の近距離無線デバイスより情報を受信してＣＰＵ６へ渡し、ＣＰＵ６は情報授受ＩＣ９より渡された情報を電子表示パネル７に一定時間表示する。
【００５１】
情報を電子表示パネル７に一定時間表示した後、次に表示する情報がなければ、ＣＰＵ６はシャットダウン処理（プログラムの終了処理）を開始する。
【００５２】
この場合、ＣＰＵ６は、ＳＷ_Ｃｏｎｔ（ＬＯ）を電子スイッチ回路４のＳＷ_Ｃｏｎｔ入力端子２１へ送る。
【００５３】
電子スイッチ回路４では、ＳＷ_Ｃｏｎｔ（ＬＯ）の入力により、Ｎ型ＭＯＳ Ｔｒ２４およびＰ型ＭＯＳ Ｔｒ２６が順にＯＦＦし、プッシュＳＷ３がＯＦＦされているため、ＢＡＴ_ＶＤＤが回路から完全に切り離され、この時点でバッテリ１の電力の消費がなくなる。
【００５４】
その後、ＣＰＵ６ではプログラムのシャットダウン処理が行われるが、この際、切り離されたＢＡＴ_ＶＤＤスイッチ出力ラインに溜まった容量成分（電荷または電圧）が徐々に減ってゆくが、この電荷（電圧）のレベルをリセット回路５が監視（検出）し、ＣＰＵ６の動作が不安定になる前にリセットをかける、つまりＢＡＴ_ＶＤＤスイッチ出力ライン−ＧＮＤ間をショート（接続）し、機能部１０のＢＡＴ_ＶＤＤスイッチ出力ラインの電圧レベルをすばやくＧＮＤのレベルにまで下げる。
【００５５】
これにより、出力側に大きな容量成分が付随した場合でも機能部１０が誤動作せず確実にＯＦＦ状態に移行でき、かつハイサイドスイッチ２９のＯＦＦ制御の動作とＶＤＤ−ＧＮＤショートの動作のタイミングがずれることになるので、貫通電流の発生をなくすことができる。以上のことから、ＩＣカードを誤動作させることなく省力化でき、バッテリ１の交換時期または充電時期を遅らせることができる。
【００５６】
このようにこの第１実施形態によれば、機械式スイッチ（プッシュＳＷ３）と、電子式スイッチ（電子スイッチ回路４）とを並列に設け、ＯＦＦ時に、ＣＰＵ６、情報授受ＩＣ９、電子表示パネル７などを含む機能部１０への電力供給を完全にカット（遮断）することで、スイッチ動作時のバッテリ容量の無駄な流出が抑えられるので、バッテリ１の電力消費を抑えて省力化することができる。
【００５７】
また、機能部１０が動作した後、シャットダウン処理の際（ＯＦＦ動作時）に回路内に溜まった容量成分（電圧）が徐々に減る中で、容量成分（電圧）の電圧値がＣＰＵ６の最低動作電圧よりも高い、ある閾値のときにリセット回路５がＢＡＴ_ＶＤＤスイッチ出力のラインとＧＮＤ間をショートして容量成分（電圧）を瞬時にＧＮＤのレベルに下げる。つまりＣＰＵ６が誤動作を起こす間を与えずに急速に０Ｖとすることで、スイッチ以降の各回路の動作を完全にシャットオフすることができる。
【００５８】
この結果、ＩＣカードに搭載されるバッテリ１の電力消費を抑えて省力化すると共に、バッテリ１の交換時期または充電時期を延ばすことができる。
【００５９】
上記図３に示した比較スイッチ回路２８の例は、論理回路を主にして構成した例であるが、これ以外にも構成することができる。
【００６０】
すなわち、図４に示すように、比較スイッチ回路２８は、デジタルとアナログを混合した比較回路であるマイコン４６を主として構成し、マイクロコンピュータ４６（以下「マイコン４６」と称す）からの制御信号により電子スイッチ４５をＯＮ／ＯＦＦしてもよい。
【００６１】
この場合、デジ・アナ混合回路であるマイコン４６がプログラムにて設定した比較検出電圧値（デジタル値）を検出し、任意の制御信号を電子スイッチ４５へ出力（アナログ）して電子スイッチ４５をＯＮ／ＯＦＦする。
【００６２】
この図４の構成では、図３に示した論理ブロックの構成要素の一つであるスイッチングバッファ４４が不要になり、回路構成を簡素化することができる。
【００６３】
次に図５を参照して第２実施形態を説明する。  
図５に示すように、第２実施形態のＩＣカードは、機能部１０が、ＣＰＵ６により制御されて動作し、この装置自体または装置の外部の状態を検出するセンサ１１と、このセンサ１１により検出された情報を表示する電子表示パネル７とを有する。
【００６４】
つまり、この第２実施形態は、機能部１０の要素として、図１に示した情報授受ＩＣ９に変えて、例えば光、振動、位置、動きなどを検出するセンサ１１を配置した例である。具体的には、センサ１１として、例えば光センサ、回数カウント計、万歩計（登録商標）、加速度計、ＧＰＳ受信機などを用いる。
【００６５】
この第２実施形態の場合、利用者によりプッシュＳＷ３が押されると、プッシュＳＷ３では、接点が接触（ＯＮ）し、ＢＡＴ_ＶＤＤ２のラインと機能部１０へのラインが接続される。
【００６６】
すると、このプッシュＳＷ３が押されている期間に、バッテリ１から機能部１０（ＣＰＵ６、電子表示パネル７およびセンサ１１など）へＢＡＴ_ＶＤＤ２が供給される。
【００６７】
ＢＡＴ_ＶＤＤ２の供給によりＣＰＵ６はメモリのプログラムを起動して制御動作を開始し、ＳＷ_Ｃｏｎｔ（ＨＩ）を電子スイッチ回路４のＳＷ_Ｃｏｎｔ入力端子２１へ出力する。これにより、電子スイッチ回路４がＯＮする。
【００６８】
電源が供給されたセンサ１１は、情報を検出し、検出した情報をＣＰＵ６へ渡す。ＣＰＵ６は渡された情報を電子表示パネル７へ送り、その情報が電子表示パネル７に表示される。
【００６９】
電子表示パネル７に情報を一定時間表示した後、ＣＰＵ６は電子スイッチ回路４へＳＷ_Ｃｏｎｔ（ＬＯ）を出力し、センサ１１からの追加アクションが規定時間内になかった場合、全体のシャットダウン処理を開始する。
【００７０】
一方、電子スイッチ回路４では、ＳＷ_Ｃｏｎｔ（ＬＯ）の入力により内部のスイッチがＯＦＦして、バッテリ１から機能部１０へのＢＡＴ_ＶＤＤのラインが切り離され、ＢＡＴ_ＶＤＤ２の供給が停止される。
【００７１】
電源供給停止後、ＢＡＴ_ＶＤＤのラインの容量成分にたまった電荷（電圧）が徐々に減ってゆくが、この電荷（電圧）を監視していたリセット回路５が閾値電圧に達したことを検出すると、リセット回路５はＢＡＴ_ＶＤＤのラインとＧＮＤを接続して、機能部１０の電源入力ラインであるＢＡＴ_ＶＤＤのラインのレベルをすばやくＧＮＤレベルまで下げるので、機能部１０のＣＰＵ６は、動作が不安定になることなく確実にＯＦＦ状態に移行することができる。
【００７２】
以上のようにこの第２実施形態によれば、センサ１１付きのＩＣカードについても第１実施形態と同様の効果を得ることができる。これにより、バッテリ駆動式装置として、例えば光センサ、回数カウント計、万歩計（登録商標）、加速度計、ＧＰＳ受信機などの機能を搭載したＩＣカードを提供することができる。
【００７３】
次に図６を参照して第３実施形態を説明する。  
図６に示すように、第３実施形態のＩＣカードは、機能部１０が、キー操作により情報が入力される入力装置としてのキーボード１２と、このキーボード１２から入力された情報を表示する電子表示パネル７とを有する。
【００７４】
つまり、この第３実施形態は、機能部１０の要素として、図１に示した情報授受ＩＣ９に変えて、例えばキーボード１２、テンキーなどの入力装置を配置した例である。
【００７５】
この第３実施形態の場合、利用者によりプッシュＳＷ３が押されると、プッシュＳＷ３では、接点が接触（ＯＮ）し、ＢＡＴ_ＶＤＤ２のラインと機能部１０へのラインが接続される。
【００７６】
すると、このプッシュＳＷ３が押されている期間に、バッテリ１から機能部１０（ＣＰＵ６、電子表示パネル７およびキーボード１２など）へＢＡＴ_ＶＤＤ２が供給される。
【００７７】
ＢＡＴ_ＶＤＤ２の供給によりＣＰＵ６はメモリのプログラムを起動して制御動作を開始し、ＳＷ_Ｃｏｎｔ（ＨＩ）を電子スイッチ回路４のＳＷ_Ｃｏｎｔ入力端子２１へ出力する。これにより、電子スイッチ回路４がＯＮする。
【００７８】
電源が供給されたキーボード１２は、キー入力可能になり、ユーザがキー操作で入力した情報をＣＰＵ６へ渡す。ＣＰＵ６は渡された情報を電子表示パネル７へ送り、その情報が電子表示パネル７に表示される。
【００７９】
電子表示パネル７に情報を一定時間表示した後、さらにキーボード１２に対する追加アクションが規定時間内になかった場合、ＣＰＵ６は電子スイッチ回路４へＳＷ_Ｃｏｎｔ（ＬＯ）を出力し、全体のシャットダウン処理を開始する。
【００８０】
一方、電子スイッチ回路４では、ＳＷ_Ｃｏｎｔ（ＬＯ）の入力により内部のスイッチがＯＦＦして、バッテリ１から機能部１０へのＢＡＴ_ＶＤＤのラインが切り離され、ＢＡＴ_ＶＤＤ２の供給が停止される。
【００８１】
電源供給停止後、ＢＡＴ_ＶＤＤのラインの容量成分にたまった電荷（電圧）が徐々に減ってゆくが、この電荷（電圧）を監視していたリセット回路５が閾値電圧に達したことを検出すると、リセット回路５はＢＡＴ_ＶＤＤのラインとＧＮＤを接続して、機能部１０の電源入力ラインであるＢＡＴ_ＶＤＤのラインのレベルをすばやくＧＮＤレベルまで下げるので、機能部１０のＣＰＵ６は、動作が不安定になることなく確実にＯＦＦ状態に移行することができる。
【００８２】
以上のようにこの第３実施形態によれば、キーボード１２付きのＩＣカードについても第１実施形態と同様の効果を得ることができる。これにより、バッテリ駆動式装置として、例えばキーボード１２、テンキーなどの入力装置を搭載したＩＣカードを提供することができる。
【００８３】
なお、本願発明は、上記実施形態のみに限定されるものではなく、実施段階ではその要旨を逸脱しない範囲で構成要素を変形（要素の一部削除、実施形態間の要素の組み合わせの変更など）してもよい。
【００８４】
また、上記実施形態で説明した各構成要素を、コンピュータのメモリなどのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。
【００８５】
電子媒体としては、例えばＣＤ−ＲＯＭ等の記録媒体やフラッシュメモリ、リムーバブルメディア（Removable media）等が含まれる。さらに、ネットワークを介して接続した異なるコンピュータに構成要素を分散して記憶し、各構成要素を機能させたコンピュータ間で通信することで実現してもよい。
【符号の説明】
【００８６】
１…バッテリ
２…電源電圧（ＢＡＴ_ＶＤＤ）
３…プッシュＳＷ
４…電子スイッチ回路
５…リセット回路
６…ＣＰＵ
７…電子表示パネル
８…アンテナ
９…情報授受ＩＣ
１０…機能部
１１…センサ
１２…キーボード
２０…制御・バイアス回路
２１…入力端子
２２，２３，２５，２７…抵抗素子
２８…比較スイッチ回路
２８ａ…監視端子
２８ｂ，２８ｃ…入出力端子
２９…ハイサイドスイッチ
３０…出力端子
４２…基準電圧発生器
４４…スイッチングバッファ
４５…電子スイッチ
４６…マイコン
【図１】
2014130735.tif 000003
【図２】
2014130735.tif 000004
【図３】
2014130735.tif 000005
【図４】
2014130735.tif 000006
【図５】
2014130735.tif 000007
【図６】
2014130735.tif 000008